(57)【要約】【課題】  枠体内に不燃性透明樹脂シートを張設した防煙・防火壁において、該シートに長期間に亘って全体的に歪みや弛みが生じないようにすることを課題とする。【解決手段】不燃性樹脂シート２の端部を挿入するケース本体１の対向する端部に収納したシート端部処理バー４内にはその内側面間に押圧力を加える弾性材６を設け、弾性材６の押圧力によりシート端部処理バー４内でシート２の端部を挟持するとともに、ケース本体１の側部７には内方に開口した室6aと外方に開口した室6bを有する金具６を設け、内方に開口した室6aにはシート側部７の挟持金具８を列設収納し、挟持金具８の底部に設けられたネジ10は外方に開口した室6bに突出させ、ネジ10 のナット11と底壁面6cとの間には板バネ12を介在させた防煙・防火壁。【選択図】図１
2015029634.tif 000002
【特許請求の範囲】
【請求項１】
不燃性樹脂シートのケース本体の端部にはシート端部処理バーを設け、該シート端部処理バー内にはシート端部間に押圧力を加える弾性材を設け、該弾性材の押圧力によりシートの端部を挟持するとともに、ケース本体の側部には内方に開口した室と外方に開口した室を有する金具を設け、内方に開口した室には上記シート側部の挟持金具を列設収納し、該挟持金具の底部に設けられたネジは外方に開口した室に突出させ、該ネジのナットと底壁面との間には板バネを介在させ、該板バネの弾性により挟持されたシート側部間に張力を持たせるようにしたことを特徴とする防煙・防火壁。
【請求項２】
弾性材が波状スプリングで構成される請求項１記載の防煙・防火壁。
【請求項３】
シート側部の挟持金具を５個等間隔で列設し、シート側部を５箇所で挟持固定するようにした請求項１記載の防煙・防火壁。
【発明の詳細な説明】
【技術分野】
【０００１】
本発明は、不燃性、或いは耐熱性の樹脂シートで構成される防煙・防火壁の改良に関するものである。
【背景技術】
【０００２】
従来天井に設けられる防煙垂壁としては、ガラス材が使用されてきたが、このガラス材に替わるものとして、近年不燃性、或いは耐熱性の高い樹脂シートをガラス繊維で強化し
た構造の透明シートが使用されていることが多く見られる。
【０００３】
これらの樹脂シートからなる防煙垂壁は、軽量であるため、従来のガラス材に用いられた取り付け構造に格別の補強をすることなくそのまま利用して取り付けることができるな
どの利点がある。
【０００４】
しかしながら、これらの樹脂シートを剛性のアルミ製枠体フレームに固定して防煙垂壁を構成すると、枠体フレームに固定されたシートに部分的な歪みや弛みが発生し、外観を損
なうばかりでなく、強固に固定することが困難であった。
【０００５】
更に、上記樹脂シートは、混在させたガラス繊維の熱膨張率が極めて小さく、また樹脂層も強化ガラス繊維に拘束され、その結果樹脂シートの熱膨張率は極めて小さい。一方、こ
れらのシートを固定するアルミ製の枠体フレームは比較的熱膨張率が大きいため  これらの固定構造が気温の変化に伴って伸縮すると、シートがその伸縮に追従できず、これらの
゛寸法変化は、強度的には問題ない程度の小さいものであっても、上記したようにシートの携みや弛みとなって表れる。
【０００６】
これらの問題を解決するため、コの字型の開口が狭められた断面形状のグリップフレーム、該グリップフレーム断面に沿って開口に向けて狭められた断面形状の一対のシートグ
リップ、及びシート状の防煙垂壁材を扶持して該グリップフレームのコの字状断面内に収容された一対のシートグリップに対して、グリップフレーム底辺側にシートグリッププレ
ートをあてがい、締め付けネジによって該プレートを介してシートグリップをクリップフレームの狭められた開口部方向に向けて押圧して固定するシート状防煙垂壁固定部材が提
案されている（特開2008-173271）。
【０００７】
しかし、上記固定構造にしても、締め付けネジ等により固定されるため、不燃性樹脂シートを締め付ける押圧力は、グリップフレームからシートグリップに対してグリップフレ
ーム全長に亘って均一様に作用することなく、したがって長期間の使用においては不燃性樹脂シートに歪みや弛みを生ずる結果となる。
【０００８】
これに対して、本願発明者らは先に不燃性樹脂シートと、該シートの端ｎ部を挿入するケース本体と、該ケース本体の内部に対向状に収納されるシート端部処理バーと、該シート端部処
理バーに設けられ、上記シート端部処理バーの内側面間に押圧力を加える弾性材からなり、該弾性材はその押圧力によりシート端部処理バー内側面でシートの端部を挟持するようにしたことを特徴とする防煙・防火壁を提案した（特許5189212号）。
【０００９】
即ち、本発明によれば、上記弾性材の押圧力によりクリップ片内測面でシート状材の端部を扶持されており、上記特開2008-173271のように締め付けネジを使用していないため、長期間に亘ってシートに歪みや弛みが生ずることがない。
【先行技術文献】
【特許文献】
【００１０】
【特許文献１】特開2008-173271
【特許文献２】特許5189212号
【発明の概要】
【発明が解決しようとする課題】
【００１１】
しかしながら、先の特許では弾性材の押圧力によりクリップ片内測面でシート状材の端部を扶持されているため、シート状材の端部間は押圧力が掛かり、シートに歪みや弛みが生ずることがないが、シート状材の側部間には張力が加えられておらず、この端部間に押圧力が加わり、一方側部間には張力が加えられないという不均衡さに基づきシート全体には歪み、緩みが生ずる。
【課題を解決するための手段】
【００１２】
本発明は、上記実情に鑑み、不燃性樹脂シートの端部を挿入するケース本体の対向する端部に収納したシート端部処理バー内にはその内側面間に押圧力を加える弾性材を設け、該弾性材の押圧力によりシート端部処理バー内でシートの端部を挟持するとともに、ケース本体の側部には内方に開口した室と外方に開口した室を有する金具を設け、内方に開口した室には上記シート側部の挟持金具を列設収納し、該挟持金具の底部に設けられたネジは外方に開口した室に突出させ、該ネジのナットと底壁面との間には板バネを介在させたことを特徴とする防煙・防火壁を提案するものである。
【発明の効果】
【００１３】
即ち、本発明ではシートの端部はスプリングの押圧力によりシート端部処理バーの対向面に扶持され、しかもシートの側部間はネジナットの締め付けに伴う板バネの弾発力により一定の張力が加えられるので、不燃性透明樹脂シート全体に歪み、乃至弛みがない。
【図面の簡単な説明】
【００１４】
【図１】本発明に係わる防煙垂壁の正面図
【図２】図１のII−II断面図
【図３】図２の横断面図
【図４】本発明に係わる防煙垂壁の側部に嵌め込まれたＨ型金具の断面図
【図５】本発明に係わる防煙垂壁の側部の断面図
【図６】図５の一部拡大図
【発明を実施するための形態】
【００１５】
不燃性樹脂シートと、該シートの端部を挿入するケース本体と、該ケース本体の内部に対向状に収納され、シート端部処理バーと、該シート端部処理バーに設けられ、上記シー
ト端部処理バーの内側面間に押圧力を加える波状スプリングとからなり、該スプリングはその押圧力によりシート端部処理バー内側面でシートの端部を扶持するようにしたことを
特徴とする防煙垂壁。
【実施例１】
【００１６】
以下、本発明を天井面に吊設される防煙垂壁の実施例に基づいて説明する。
【００１７】
１は防煙垂壁の四角形状のアルミ製のケース本体、２はケース本体１の内部に張設される不燃性透明樹脂シートであり、ケース本体１の内周面にはシート２の端部の挿入孔３が形成されている。
【００１８】
４、４はケース本体１内に対向状に収納され、その対向面でシート２の端部を挟持するシート端部処理バーである。
【００１９】
５、５はシート端部処理バー４の上端面に沿って設けられた波状スプリングであって、スプリング５、５はシート端部処理バー４の外側面に突出するように設けられ、ケース本
体１内にシート端部処理バー４、４が収納される際内側方向に押圧力が発生し、その押圧力によりシート端部処理バー内側面でシートの端部を扶持する。
【００２０】
以上のように構成される防煙垂壁は不燃性樹脂シートを張設しており、軽量であるため、何らの補強を施すことなく、従来ガラス製の防煙垂壁の吊設ために天井面に設けられた
取り付け具に固定できる。
【００２１】
一方、６はケース本体１の側部７に嵌め込まれた内方に開口した室6aと外方を開口した室6bとを有する断面Ｈ型金具、８はシート２の側部を挟持片９,９間で挟持する挟持金具で、挟持金具８，・・・はその長手方向に沿って室6a内に列設収納し、更に挟持金具８の底部にはネジ10を設け、ネジ10は室6bに突出させ、ネジ10のナット11と室6bの底壁面6cとの間には板バネ12を介在させる。    
【００２２】
そして、本発明はシート２の端部はスプリング５の押圧力によりシート端部処理バー４、４の対向面に扶持され、しかもシート２の側部間は個々のネジ10とナット11の締め付けに伴う板バネ12の弾性を調整することにより一定の張力が加えられるので、不燃性透明樹脂シート２全体に歪み、乃至弛みが生ずることがない。
【００２３】
なお、図５はケース本体１の側部７に設けられた５個の挟持金具８でシート２の側部を挟持して固定する。各固定点の間隔112.5mm（以下、５点止めと記す）（実施例１）と各固定点の間隔が150mmになるものを作成した（以下、４点止めと記す）（比較例１）、各固定点の間隔が225mmになるものを作成した（以下、３点止めと記す）（比較例２）。５点止めと４点止め、３点止めとの間でシワ、弛みを目視観察した結果を以下に示す。
【００２４】
実施例１においては、全体的に平滑感が良く、弛みの発生もなく、美しい外観を呈した。
【００２５】
比較例１においては、中間の２点固定部分からシワが発生し、側面部に弛みがあった。比較例２においては中央の固定点からＶ型のシワが発生し、全体的に弛みがあった。これより次のような結論を得た。
【００２６】
側面部の固定箇所が多ければ、平滑感が良く、シワの発生が少なくなるが、以上の実施結果から見ると、各固定点の間隔は100mm〜130mmが好ましく、特に好ましいのはトータルバランスが良い実施例１の５点止めであると判断した。
【産業上の利用可能性】
【００２７】
本発明によれば不燃性、乃至断熱性樹脂シートに長期間に亘って全体的に歪みや弛みが生ずることがない防煙・防火壁を提供できる。
【符号の説明】
【００２８】
１はケース本体
２は不燃性透明樹脂シート
３はシート端部の挿入孔
４はシート端部処理バー
５は波状スプリング
６は断面Ｈ型金具
6aは内方に開口した室
6bは外方に開口した室
6cは底壁面
７はケース本体の側部
８は挟持金具
９，９は挟持片
10はネジ
11はナット
12は板バネ
【図１】
2015029634.tif 000003
【図２】
2015029634.tif 000004
【図３】
2015029634.tif 000005
【図４】
2015029634.tif 000006
【図５】
2015029634.tif 000007
【図６】
2015029634.tif 000008